(57)【特許請求の範囲】
【請求項１】
再生し出力するオーディオデータまたはビジュアルデータを任意に選択する選択手段と、
視聴した曲または映像を特定する情報を記録する視聴履歴メモリと、
視聴履歴メモリに記録した情報を検索する視聴履歴検索部と、
前記視聴履歴メモリのデータが所定数以上のとき、または所定期間以上経過したときに、該視聴履歴メモリから古いデータを消去する視聴履歴消去手段とを備え、
前記視聴履歴検索部は、メディアプレーヤの再生出力時に、出力する曲または映像が視聴履歴メモリに存在するか否かを検索し、
前記選択手段は、前記視聴履歴検索部で出力する曲または映像が視聴履歴メモリに存在することを検出したときには、再生し出力するオーディオデータまたはビジュアルデータの選択を変更することを特徴とするメディアプレーヤ。
【請求項２】
前記再生し出力するデータは、デジタル放送の受信データ、ＭＰ３オーディオデータ、ＣＤまたはＭＤまたはＤＶＤの記録データ、あるいはインターネット受信データであることを特徴とする請求項１記載のメディアプレーヤ。
【請求項３】
前記視聴履歴検索部では、前記視聴履歴メモリ内のデータにおいて所定期間以内のデータのみ検索を行うことを特徴とする請求項１記載のメディアプレーヤ。
【請求項４】
前記視聴履歴メモリは、メディアプレーヤに接続される複数のプレーヤの視聴履歴を共通して記録することを特徴とする請求項１記載のメディアプレーヤ。
【発明の詳細な説明】
【０００１】
【発明の属する技術分野】
本発明は、多数のチャンネルを放送しているデジタル放送、あるいはＣＤのオーディオ、ＤＶＤのビデオ等各種のサービスメディアを再生するメディアプレーヤにおいて、特に、以前そのプレーヤで視聴したことのある曲や映画等は、しばらくの間は視聴の選択を行わないようにすることができるようにしたメディアプレーヤに関する。
【０００２】
【従来の技術】
例えばオーディオ装置においてはデジタル化が進み、各種オーディオを再生するオーディオプレーヤとして、従来広く用いられていたアナログデータを扱うカセットテープレコーダから、ＣＤやＭＤ等光ディスクにオーディオデータをデジタルで記録したデジタル型オーディオプレーヤが広く用いられるようになっている。その他近年はＤＶＤにオーディオデータを記録したＤＶＤオーディオプレーヤも用いられるようになっている。このようにオーディオ装置におけるいわゆるパッケージメディアはデジタル化し、且つ多様化している。
【０００３】
更にこれらのデジタル型オーディオプレーヤにおいて、記録するオーディオデータは各種の方式で圧縮して記録することが行われるているが、その中でも近年はＭＰ３形式でオーディオデータを圧縮することが広く行われ、各種のオーディオデータをＣＤ−ＲやＣＤ−ＲＷに大量に記録して利用することが広く行われるようになっている。
【０００４】
一方、オーディオ装置としては上記のようなパッケージメディアの再生以外に、ラジオ放送受信機が従来から広く用いられているが、近年は特に衛星放送によるデジタル化が進み、ＣＳデジタルオーディオ放送においては現在既に１００チャンネル以上の放送が行われている。また、ＢＳ放送をデジタル化することによって映像の多チャンネル化ばかりでなくオーディオ放送も多チャンネル化して放送することも考えられており、更に今後地上波ＡＭ放送ＦＭ放送のデジタル化による多チャンネル放送も計画されている。特に車等の移動体における受信機に適した衛星放送の計画がアメリカにおけるＳＤＡＲＳ（Satellite Digital Audio Radio Service）を初め各国で進められており、今後更に多くのチャンネルが放送されることとなる。
【０００５】
これらのデジタルオーディオ放送は、単に放送を受信したときに聞くだけでなく、近年の上記のような各種デジタルオーディオプレーヤの発達により、放送によって送信されたデジタルオーディオデータをＭＤやＤＡＴ等のデジタルデータ記録媒体に記録し、データを持ち運んで別のオーディオプレーヤで聞くことも行われている。
【０００６】
更に、近年のインターネットの発達により、各種オーディオデータがインターネットにより無料で、あるいは有料で配信されるようになっており、利用者はこれを一時ダウンロードし、これを適当なソフトにより各種の記録形式に変換して各種記録媒体に記録し、必要なときに再生して聞くことも行われている。ここにおいてもＭＰ３形式でオーディオデータを圧縮し、ＣＤ−ＲＷ等に大量に記録して利用することが行われ、インターネットから取り込んだ大量のオーディオデータを持ち運んで適当なオーディオプレーヤでこれを聞くことができるようになっている。
【０００７】
また、近年は３０Ｇ程度の大容量のハードディスクが安価に提供されるようになったため、上記のように受信したデジタル放送データやインターネットのオーディオデータをハードディスクに一時的に保存し、これを適宜編集しつつＭＰ３等に圧縮して、例えばＤＶＤ−ＲＡＭのような大容量のデータ記録媒体、前記のようなＣＤ−ＲＷ、更には１チップメモリを用いたＭＰ３プレーヤ等に記録して利用することも広く行われるようになっている。
【０００８】
各種のメディアのうち上記オーディオのほかビジュアル関係においても、例えばビデオのデジタルデータを扱うＤＶＤが広く普及し、多数のＤＶＤソフトが提供されるようになっている。また、ＤＶＤ−ＲＡＭによって各種ビデオデータをＭＰＥＧ２で圧縮して各人が記録することができるようになっている。更にデジタルカメラやデジタルビデオカメラの普及により、画像データをデジタル化して記録することも広く行われるようになっており、デジタルカメラのデータをパソコンに出力し、これを編集してＣＤ−ＲやＣＤ−ＲＷ等に記録し、これを視聴するすることも行われている。また、デジタルビデオカメラで撮影したデータにおいても同様に、パソコンによってリニア編集も可能となり、ＤＶＤ−ＲＡＭにデジタルビデオカメラから直接に、あるいは上記のように編集したデータを記録してこれを見ることができるようになっている。
【０００９】
また、映像をデジタル放送しているＣＳデジタル放送においては、日夜２００チャンネルにものぼる映像の放送が行われており、ＢＳ放送もデジタル化して多チャンネルとなるほか、地上波もデジタルによる多チャンネル化も計画され、このように今後放送される映像は極めて多くなることが予想されている。このことは国内に限らずアメリカ、ヨーロッパにおいても同様であり、更に世界各国で多チャンネル化が進んでいる。特に車等の移動体における受信に適した衛星放送も計画されており、車両用テレビ受信機においても多くのチャンネルの番組をを高画質で視聴することができるようになる。
【００１０】
デジタル放送で送信されるデータも、前記の各種デジタルビデオデータと同様にＭＰＥＧ２形式で圧縮して送信されることが多く、上記のようなデジタルビデオデータを扱う技術がそのまま利用することができ、したがってこれらの放送の視聴者はＤＶＤ−ＲＡＭ等に上記の記録方式で圧縮して記録し、これを必要なときに再生して視聴することも可能である。
【００１１】
インターネットにおいても上記のようなオーディオデータの配信の他、近年広範囲に張り巡らされた光ケーブル網を用いて大量のデータが高速で配信できるようになったため、大量の画像データも容易にインターネットからダウンロードすることができるようになり、前記のような大容量を記録できるハードディスクに保存し、あるいはＤＶＤ−ＲＡＭに記録して必要なときにＤＶＤプレーヤで再生して視聴することも行われるようになる。
【００１２】
【発明が解決しようとする課題】
上記のように、近年のオーディオプレーヤにおいて、ＣＤ、ＭＤ、ＤＶＤ等の記録媒体を用いるものにおいては、これらに記録するオーディオデータの圧縮技術の進歩によって１つの記録媒体に大量の曲を記録して利用するようになっている。また、これらの記録媒体に記録されるオーディオデータは市販のもののほか、ＣＳデジタル放送を初めとする各種放送を録音したものや、インターネットからダウンロードしたもの等、種々のオーディオデータをＭＰ３等で圧縮して大量に記録し、これをオーディオプレーヤにかけて聞くことも広く行われている。また、オーディオ放送もＣＳ、ＢＳ、地上波等においてデジタル化し、極めて多くのチャンネルで放送が行われ、あるいはその放送が行われようとしているている。
【００１３】
また、特に車両用オーディオ装置においては、ＣＤチェンジャ、ＭＤチェンジャ、更にはＤＶＤチェンジャ等も用いられ、運転者が容易に希望の曲を選択することができるように、一つのプレーヤで多量の曲を一度に取り扱うことができるようになっている。更に車両オーディオ装置においてはラジオ受信機も備えており、これによりＣＳデジタルオーディオ放送の受信できるようになっている場合には、このオーディオプレーヤにおいては常に数１００曲以上の中から希望する曲を選択して聞くことができるようになっている。
【００１４】
一方、映像データを取り扱う機器においても、上記のようにＣＳデジタル放送において極めて多くのチャンネルから映画を初めとする種々の映像が放送されており、また、これらの種々の映像を記録するプレーヤとしては、放送やインターネットからハードディスクにダウンロードしたもの、あるいはＤＶＤに記録したものを再生することができるため、一つのプレーヤで多くの映像を取り扱うことができるようになっている。
【００１５】
また、特に車載用テレビ放送受信機において上記のようなＣＳデジタルテレビ放送等の種々の多チャンネルのデジタル放送を受信でき、且つ、ＤＶＤチェンジャを搭載する等によって多くの映像を再生することができるようにしたものにおいては、１つのプレーヤで多数の映画等の映像を再生することができるようになっている。
【００１６】
したがって、オーディオを取り扱うプレーヤ、映像を取り扱うプレーヤのいずれにしても、一つのプレーヤで多量の曲や映像を再生することができるようになっているため、例えば現在特定のチャンネルでオーディオ放送を聞いているとき、他のチャンネルに切り替えた際、そのチャンネルでは先のチャンネルで聴いた曲を放送しているときがある。このようなときには更に別のチャンネルに切り替えることとなる。また、前記のようにチャンネルを切り替えたとき、最初は聴いたことのない曲を放送していても、次の曲が先のチャンネルで聴いた曲であることもある。このようなときには、利用者は更に他のチャンネルに切り替えることが多い。
【００１７】
同様に、例えば現在オーディオ放送を聞いているとき、ＣＤの曲を聴きたいと思い、ＣＤの再生にオーディオプレーヤの作動を切り替えたとき、再生された曲が先にオーディオ放送で聴いた曲のこともある。あるいは、つい先程ＣＤを再生していたときに聴いていた曲のこともありうる。
【００１８】
このように、多くのオーディオを選択できるようになっている場合は、特に同じ曲が選択されることも多くなり、例えば現在ヒットチャートの１番の曲は多くのチャンネルで放送され、自分のＣＤにも存在することもあり、同じ曲が頻繁にこのプレーヤから出力されるため、利用者は他の曲を聴くためにたびたびプレーヤの操作を行わなければならなくなる。このことは映像を取り扱うプレーヤにおいても、上記のようなオーディオを取り扱うプレーヤほどではないが同じことが生じる可能性が高い。特に有名な映画は何回も放送されることがあり、またその映画が自分のＤＶＤ等に存在することもある。
【００１９】
以上のように、現在用いられているオーディオや映像を取り扱うメディアプレーヤにおいて、また、特に今後用いられるであろうメディアプレーヤにおいては、先に聞いたばかりの曲、あるいは見た映像が何度も選択されて出力することが多くなり、利用者はそのたびにチャンネルを替え、あるいは再生機器を替える必要があり面倒であった。
【００２０】
したがって本発明は、オーディオデータやビジュアルデータを再生し出力するメディアプレーヤにおいて、先に視聴した曲や映像は再度視聴することがないように、自動的に他の曲や映像に選択を変更することができるようにしたメディアプレーヤを提供することを主たる目的とする。
【００２１】
【課題を解決するための手段】
本発明は、上記課題を解決するため、再生し出力するオーディオデータまたはビジュアルデータを任意に選択する選択手段と、視聴した曲または映像を特定する情報を記録する視聴履歴メモリと、視聴履歴メモリに記録した情報を検索する視聴履歴検索部と、前記視聴履歴メモリのデータが所定数以上のとき、または所定期間以上経過したときに、該視聴履歴メモリから古いデータを消去する視聴履歴消去手段とを備え、前記視聴履歴検索部は、メディアプレーヤの再生出力時に、出力する曲または映像が視聴履歴メモリに存在するか否かを検索し、前記選択手段は、前記視聴履歴検索部で出力する曲または映像が視聴履歴メモリに存在することを検出したときには、再生し出力するオーディオデータまたはビジュアルデータの選択を変更することを特徴とするメディアプレーヤとしたものである。
【００２２】
また、他の態様として、前記再生し出力するデータは、デジタル放送の受信データ、ＭＰ３オーディオデータ、ＣＤまたはＭＤまたはＤＶＤの記録データ、あるいはインターネット受信データであることを特徴とする前記メディアプレーヤとしたものである。
【００２３】
また、他の態様として、前記視聴履歴検索部では、前記視聴履歴メモリ内のデータにおいて所定期間以内のデータのみ検索を行うことを特徴とする前記メディアプレーヤとしたものである。
【００２５】
また、他の態様として、前記視聴履歴メモリは、メディアプレーヤに接続される複数のプレーヤの視聴履歴を共通して記録することを特徴とする前記メディアプレーヤとしたものである。
【００２６】
【発明の実施の形態】
本発明の実施の形態を図面に沿って説明する。図１は本発明によるメディアプレーヤとしてのオーディオプレーヤの例を示し、特にデジタルオーディオ放送受信機とＭＰ３形式でＣＤ−ＲやＣＤ−ＲＷに記録されたオーディオデータを再生するディスクプレーヤを備えたオーディオプレーヤの一実施例において、主要機能ブロックとそれらの相互の関係を示す機能ブロック図である。
【００２７】
オーディオプレーヤ全体を制御するヘッドユニット２８には、この実施例においてはデジタルオーディオ放送受信機９とＭＰ３オーディオプレーヤ１０とが接続されており、ヘッドユニット２８のシステムコントローラ２４によってデジタルオーディオ放送受信機９の制御部８の作動を制御すると共に、ＭＰ３オーディオプレーヤ１０の制御部２１の作動を制御することができるようにしている。なお、このほか必要に応じて例えばＣＤチェンジャ、ＤＶＤオーディオプレーヤ等を接続して、同様のシステムにより使用することもできる。
【００２８】
デジタルオーディオ放送［ＤＡＢ（Ｄｉｇｉｔａｌ  Ａｕｄｉｏ  Ｂｒｏａｄｃａｓｔｉｎｇ）］は、所定の番組の音声信号データを周波数多重で挿入した複数のデータフィールドと、番組とデータフィールドの対応及び種々の情報を記録した情報フィールドとを含み、周波数多重放送受信機でこの周波数多重放送信号を受信し、別途ユーザにより指定された番組に応じたデータフィールドに挿入された周波数多重信号を復調し、オーディオ信号に変換して出力するものである。
【００２９】
このデジタルオーディオ放送受信機９においては、１００チャンネル以上放送されているデジタルオーディ放送の電波をアンテナ１で受信し、ここで受信した電波はデジタル放送ＲＦ部２でＲＦ信号を復調すると共に、その信号をデジタル放送デコード部３に出力し、ここでデジタルオーディオデータの中から情報データ４とオーディオデータを分離し、各々デコードされ、上納データ４は制御部８に取り込まれ、オーディオデータ５はデジタルアナログ変換器６を介してヘッドユニット２８のアンプ２９に出力される。
【００３０】
デジタルオーディオ放送において採用されるデータは図３に示され、ここに示されるモードIIのフレーム構造において１フレーム長は２４ｍｓであり、２シンボルの同期部ＳＹＮＣと、３シンボルの高速情報チャネル部ＦＩＣ(Fast Infomation Channel）と、７２シンボルのデータフィールド部ＤＦＬで構成されている。同期部ＳＹＮＣは、フレームの開始点を認識するために使用するヌルシンボルと同期情報シンボルを含んでいる。高速情報チャネル部ＦＩＣには、情報データとして、時間／日付データ、番組の配列データ、サービス（番組）の名称（ラベル）、番組識別コードＳＩｄ(Service Identification Code)、放送している曲に関する情報等の種々の情報が挿入され、末尾には誤り訂正用のＣＲＣ（巡回符号を用いたエラー検出符号）が付加されている。
【００３１】
データフィールド部ＤＦＬは７２個のデータフィールドに区分され、それぞれのデータフィールドに所定の番組の放送信号が周波数分割多重で挿入されており、１つの放送局から同時に６ないし８番組を放送できるようになっている。どのデータフィールドにどの番組が対応するかは、高速情報チャネル部ＦＩＣに含まれる番組の配列データで指定される。図３では１．５ＧＨｚ帯を使用する衛星放送用のモードIIのフレーム構造を示したが、５０ＭＨｚ〜２５０ＭＨｚの周波数帯を使うモードＩのフレーム構造もほぼ同様の構成を備え、１フレーム長は９６ｍｓになっている。
【００３２】
図１におけるデジタルオーディオ放送受信機９にはチャンネル選択部７を備え、ここでは外部で操作可能な操作部３２から直接入力される利用者のチャンネル選択指示、及び後述するヘッドユニット２８のシステムコントローラ２４からの選局変更指示により、受信機のチャンネル選択部７に選局指示信号を出力し、任意のチャンネル及び番組を選択することができるようになっている。
【００３３】
一方、このオーディオプレーヤのヘッドユニット２８に接続されるＭＰ３オーディオプレーヤ１０においては、ＭＰ３形式で圧縮することにより１００曲以上記録可能なＣＤ−ＲやＣＤ−ＲＷとしてのＣＤ１を再生するものとして示しており、このＣＤ１がプレーヤ１２にかけられ、モータ１３により回転すると共に、ディスクの半径方向に移動するピックアップ１４によって所定の位置に記録された曲のデータを読み取ることができるようになっている。
【００３４】
これらモータ１３及びピックアップ１４はサーボドライバ１６によって制御され、このサーボドライバ１６は外部の操作部３３から直接入力される利用者の選曲指示、及び後述するヘッドユニット２８のシステムコントローラ２４からの選曲変更指示により、ピックアップ１４の作動を制御し、任意の曲を選局することができるようになっている。
【００３５】
ピックアップ１４で取り込まれたＲＦ信号は、ＲＦアンプ１５で増幅され、ＭＰ３システムデコーダ１７に入力する。ここではＭＰ３形式で記録されたデータの中から後述するような収録曲の曲名、アーティスト名等の情報を記録したＩＤ３タグ部分の情報データ１８と、オーディオ信号を記録したオーディオデータ１９とを分離してデコードする。このＭＰ３システムデコーダ１７は、制御部２１により作動が制御され、ここでデコードされたオーディオデータ１９は、従来の装置と同様にデジタルアナログ変換器２０を介してヘッドユニットのアンプ２９に出力される。
【００３６】
上記ＭＰ３形式で圧縮して記録されたデータにおいては、各曲のファイルの末尾の１２８バイトにＩＤ３タグが記録されており、そのデータフォーマットは図４のように構成されている。即ち、そのタグ部分の最初の３バイトは、この部分がタグであることを示す「ＴＡＧ」の文字が固定的に記録されている。次の３０バイトはＴＲＡＣＫ  ＮＡＭＥ、即ちトラック名を記録する部分とされ、この部分にはその曲の名前としてのタイトル名が記録される。次の３０バイトはＡＩＲＴＩＳＴＮＡＭＥ、即ちアーティスト名を記録する部分とされ、その次の３０バイトはＡＬＵＢＭ  ＮＡＭＥ、即ちアルバム名を記録する部分とされている。
【００３７】
また、その次の４バイトはＹＥＡＲ、即ちこの曲がリリースされた年号を記録する部分とされている。次の３０バイトはＣＯＭＥＮＴ、即ち任意のコメントを記録する部分とされ、この部分には自由なデータを記録することができる。最後に予め番号とジャンル名称との対応が明らかとされているＧＥＮＲＥ、即ちジャンル番号を記録することができる部分となっている。
【００３８】
図１に示すヘッドユニット２８においては、前記のようにシステムコントローラ２４がデジタルオーディオ放送受信機９の作動を制御する制御部８に制御信号を出力し、またＭＰ３オーディオプレーヤ１０を制御する制御部２１に制御信号を出力することにより、全体を一つのオーディオプレーヤとして統一的に作動することができるようにしている。また、その内部にアンプ２９を備え、デジタルオーディオ放送受信機９のデジタルアナログ変換器６からのオーディオ信号、及びＭＰ３オーディオプレーヤ１０のデジタルアナログ変換器２０からのオーディオ信号を選択的に入力し、いずれかのオーディオ信号をスピーカ３０から出力することができるようになっている。
【００３９】
ヘッドユニット２８には更に視聴履歴メモリ２７を備え、前記のようにデジタルオーディオ放送受信機９におけるデジタル放送デコード部３において分離しデコードした情報データ４の中から、例えば曲名、更に必要に応じてアーティスト名を入力して記録し、その際同時にこの放送を聴いた年月日、即ち現在の年月日を記録する。同様にＭＰ３オーディオプレーヤ１０におけるＭＰ３システムデコーダ１７において分離したＩＤ３タグ内の情報データ１８の中から、上記と同様に曲名、必要に応じてアーティスト名、現在の年月日を共に記録する。これらのメモリへの記録は視聴履歴記録・消去部２６によって行われる。
【００４０】
その結果、視聴履歴メモリ２７には、例えば図５（ａ）に示されるようなデータが記録される。即ち、この例では曲名の他にアーティスト名も記録し、その曲を聴いた視聴年月日を記録しており、ここでは５０個の曲をリスト化して記録するメモリを備えた例を示しており、最も新しく聴いた曲から順にＮｏ．１からＮｏ．５０迄記録している。この視聴履歴メモリ２７のリストは、オーディオプレーヤから出力される曲を最新の曲としてＮｏ．１のメモリ部分に記録し、それまでのデータは順に１つずつ繰り下げられ、Ｎｏ．５０のデータは消去される。なお、上記の視聴年月日のうち、年のデータは必要がないとされるときは削除することもできる。
【００４１】
この視聴履歴メモリ２７の記録内容は、視聴履歴メモリ検索部２５により検索することができ、上記のようにデジタルオーディオ放送受信機９またはＭＰ３オーディオプレーヤ１０のいずれかが新たに曲を出力しようとするとき、システムコントローラ２４はその曲の情報を取り込んで視聴履歴検索部２５に出力し、視聴履歴検索部２５では前記視聴履歴メモリ２７内にその曲と同じものがあるか、即ち最近このオーディオプレーヤで聴いた曲ではないかを検索する。
【００４２】
その結果、このリストにおける視聴年月日を検索することにより、例えば１０日以内等、任意に設定した日以内に聴いたことのある曲であることが検出されたときには、現在デジタルオーディオ放送を受信しているときはシステムコントローラ２４がチャンネル選択部７に対して他のチャンネルまたは番組に変更することを指示する。このときチャンネル選択部７では、例えばチャンネルの昇順あるいは降順等予め定められた順序で変更する。また、ＭＰ３オーディオプレーヤ１０が作動しているときには、システムコントローラ２４は選曲部２２に対して他の曲を再生することを指示する。このとき選曲部２２では、ランダム再生の場合を含めて予め定められた次の曲を再生する。なお、このように次のチャンネルあるいは次の曲を選択したときも既に視聴履歴メモリ２７に存在し、且つ所定日数以内に聴いたことのある曲の場合は、再度選曲の変更を行い、この作動を繰り返す。
【００４３】
また、視聴履歴記録・消去部２６では、視聴履歴メモリ２７における視聴年月日のデータを適宜検索し、例えば１ヶ月以上経過したデータ等、所定期間以上経過したデータはは削除し、ここにメモリしていても価値の少ないものを消去することにより、上記のような視聴履歴検索時に無用な検索を行うことにより、処理速度が低下することを防止することもできる。
【００４４】
上記のような機能ブロックから構成されるオーディオプレーヤは、例えば図２に示されるような作動フローによって順に処理することができる。以下前記図１の機能ブロック図等を参照しつつ説明する。オーディオプレーヤにおける視聴履歴検索による作動の処理に際しては、このオーディオプレーヤの電源投入後（ステップＳ１）、最初に視聴履歴メモリに期限切れデータがあるか否かを判別する（ステップＳ２）。この作動は図１における視聴履歴検索部２５において、視聴履歴メモリ２７内の例えば図５（ａ）に示すようなリストの視聴年月日を検索することにより行うことができる。
【００４５】
その結果例えば１ヶ月以上経過したもの等、所定の期間を経過したものについてはこれを消去する（ステップＳ３）。この作動は上記視聴履歴検索部２５の検索結果を入力したシステムコントローラ２４の指示により、視聴履歴記録・消去部２６の作動により行うことができる。上記のように視聴履歴メモリ２７内に期限切れのデータがなかったとき、及び期限切れのデータがあってその削除が行われた後、あるいはそれらの作動と同時に、オーディオプレーヤの通常の作動が開始される（ステップＳ４）。
【００４６】
次いで、例えばデジタルオーディオ放送を受信しているときにはチャンネルの選択が行われ、ＭＰ３オーディオプレーヤ１０においては選曲指定がなされる（ステップＳ５）。この作動は図１におけるチャンネル選択部７及び選曲部２２によって行われ、利用者が操作部３２、あるいは操作部３３を操作することにより行われる。またプレーヤの起動時には、ラストモードとして、以前にこのプレーヤを使用していたチャンネル、あるいは曲を記憶しておいたものを選択することもできる。
【００４７】
その後情報データの読み込みが行われる（ステップＳ６）。この作動はデジタルオーディオ放送受信機９においてはデジタル放送デコード部３において、図３に示すデータフレーム中の情報データを取り込むことにより行われ、また、ＭＰ３オーディオプレーヤ１０においては、ＭＰＥＧ形式で記録されたオーディオデータの中の例えば図４に示すような情報データを読み込むことによって行われる。このときは少なくとも曲名を読込み、例えばクラシックや童謡のように同じ曲名で複数のアーティストが演奏していることも多いので、アーティスト名も読み込むように設定しておくことが好ましく、図示実施例においては曲名と共にアーティスト名も読み込む例を示している。
【００４８】
このようにして読み込まれた情報データに基づき、現在受信しようとしている曲、あるいは再生しようとしている曲が、このオーディオプレーヤで最近視聴したことがある曲であるか否かを知るため、同じ曲が視聴履歴メモリ２７に存在するか否かを判別する（ステップＳ７）。この作動は図１における視聴履歴検索部２５において行われる。
【００４９】
この検索の結果、視聴履歴メモリ２７内に同じ曲があると判別されたときには、チャンネルの変更あるいは選曲の変更を行い（ステップＳ１２）、再びステップＳ６に戻り、次の曲の情報データを読み込み、以下同様の作動を繰り返す。この判別において、視聴履歴メモリ２７内に同じ曲がないと判別されたときには、視聴履歴メモリは所定数以上であるか否かを判別する（ステップＳ８）。ここで視聴履歴メモリが例えば図５（ａ）に示すように５０曲分の容量があり、所定数が５０のとき、既に５０曲記録されているときには所定数以上と判別され、この視聴履歴メモリの中から最も古いデータを削除する（ステップＳ９）。
【００５０】
図５（ａ）に示す実施例においては、視聴年月日順にリストアップされているので、Ｎｏ．５０の曲名「ＢＥ  ＴＯＧＥＴＨＥＲ」、アーティスト名「鈴木あみ」の曲が、視聴年月日が西暦２０００年７月２１日で最も古いので、この曲が消去されることとなる。それにより新しい曲の情報データを入力する容量ができたので、Ｎｏ．１に対応するメモリ部分に新しい情報データの書き込みを行う（ステップＳ１０）。
【００５１】
なお、ステップＳ８において視聴履歴メモリは所定数以上であるか否かの判別を行ったとき、例えば上記の例では５０曲になっていないときのように、メモリされている曲の数が所定数ではないと判別されたときには、未だ空きメモリ容量があるということなので、直接このステップＳ１０に進み新しい情報データを空きメモリ部分に書き込む、なお、メモリに書き込むデータは、このメモリ内では必ずしもリスト化して記録しておく必要はなく、ランダムに記録しても曲の検索等は行えるものであるが、図５にはこの作動を理解しやすいように視聴年月日順にリストアップした例を示している。
【００５２】
図５の例においては、同図（ａ）に示すように曲の情報データがメモリされていたとき、放送を受信することにより、あるいはＣＤを再生することにより、未だこのリストに存在しない新しい曲を聴こうとしている状態では、その曲の情報を同図（ｂ）に示すようにＮｏ．１に書き込み、このリスト上では以降順送りにメモリが移動し、先に消去されたＮｏ．５０のメモリ部分に先のＮｏ．４９の曲が移動する。図示の例では新しく曲名が「Ｅｍｏｔｉｏｎｓ」、アーティスト名が「Ｍｒｉａｈ  Ｃａｒｒｙ」の曲が、当日の年月日「西暦２０００年８月２１日」と共に記録されている。
【００５３】
次いで、このプレーヤの作動を終了するか否かの判別を行い（ステップＳ１１）、利用者がオーディオプレーヤの一時停止、あるいは終了操作を行ったときにはこの作動処理を終了する（ステップＳ１４）。しかし未だそのような操作が行われないときには、新しい曲に変わったか否かを判別する（ステップＳ１３）。ここで未だ曲が変更されていないと判別されたときには再びステップＳ１１に戻り、プレーヤの作動を終了する信号が入力して作動を終了するか、あるいは新しい曲になるまでこの判別作動を繰り返す。
【００５４】
ここで新しい曲に変わったと判別されたとき、即ちデジタルオーディオ放送において同じチャンネルを選択したままの状態で曲が変更されたとき、またはＭＰ３オーディプレーヤで自動的次の曲に変更されたとき、あるいは利用者の操作によりチャンネルが変更し、または選曲が変更されたときには再びステップＳ６に戻り、新しい曲の情報データの読み込みを行う。以降ステップＳ１１においてプレーヤの作動を終了するか否かの判別において、終了すると判別されるまでこの作動を繰り返す。
【００５５】
上記の作動は例えばデジタルオーディオ放送を受信しているときに、直ちにＭＰ３オーディオプレーヤに作動を切り替えたときも同様に作動が行われ、その逆も同様に作動する。また、先にも述べたように、このオーディオプレーヤには上記のようなデジタルオーディオ放送受信機や、ＭＰ３オーディオプレーヤが接続される以外に、例えば通常のＣＤプレーヤ、またはＣＤチェンジャ付きＣＤプレーヤ、ＤＶＤオーディオプレーヤ等種々のオーディオプレーヤを接続しても同様に作動することができる。
【００５６】
更に、上記実施例においてはオーディオプレーヤについて述べたが、映像を扱うビジュアルプレーヤにおいても同様に作動することができる。その際には、例えばヘッドユニットに対してデジタルテレビ受信機を接続し、更にＤＶＤプレーヤ、ＤＶＤチェンジャ付きＤＶＤプレーヤ、映像を記録するハードディスク等を接続し、視聴履歴メモリに映画等の映像のタイトル、その制作会社等のデータを記録することにより、最近視聴した映画を選択して視聴してしまうことがないようにすることができる。
【００５７】
【発明の効果】
本発明において、再生し出力するオーディオデータまたはビジュアルデータを任意に選択する選択手段と、視聴した曲または映像を特定する情報を記録する視聴履歴メモリと、視聴履歴メモリに記録した情報を検索する視聴履歴検索部とを備え、前記視聴履歴検索部は、メディアプレーヤの再生出力時に、出力する曲または映像が視聴履歴メモリに存在するか否かを検索し、前記選択手段は、前記視聴履歴検索部で出力する映像が視聴履歴メモリに存在することを検出したときには、再生し出力するオーディオデータまたはビジュアルデータの選択を変更することを特徴とするメディアプレーヤとしたものいおいては、音声や映像からなるオーディオデータやビジュアルデータを再生し出力するメディアプレーヤにおいて、例えばＣＳデジタル放送のような多チャンネルの放送データ、あるいはＭＰＥＧ形式で圧縮したデータのように極めて多数の曲あるいは映像が選択して再生し出力される状態のときでも、以前視聴した曲や映像は再度視聴することがないように、自動的に他の曲や映像に選択を変更することが可能なメディアプレーヤとすることができる。
【００５８】
また、前記再生し出力するデータが、デジタル放送の受信データ、ＭＰ３オーディオデータ、ＣＤまたはＭＤまたはＤＶＤの記録データ、あるいはインターネット受信データであることを特徴とする前記メディアプレーヤとしたものにおいては、種々のオーディオデータを選択的に再生し出力するオーディオプレーヤを用いて上記のような効果を奏することができ、また、種々の映像データを選択的に生成し出力するビジュアルプレーヤを用いても上記のような効果を奏することができる。
【００５９】
また、前記視聴履歴検索部では、前記視聴履歴メモリ内のデータにおいて所定期間以内のデータのみ検索を行うことを特徴とする前記メディアプレーヤとしたものにおいては、所定期間以内の最近視聴した曲や映像を繰り返し再生し出力することが無くなり、適切な曲や映像の再生出力が自動的に行われる。。
【００６０】
また、前記視聴履歴メモリのデータが所定数以上のとき、または所定期間以上経過したときに、該視聴履歴メモリから古いデータを消去する視聴履歴消去手段を備えたことを特徴とする前記メディアプレーヤとしたものにおいて、視聴履歴メモリのデータが所定数以上のときに当該データを消去するようにしたものにおいては、例えば所定期間以内のデータであっても多数の曲や映像を視聴したときには所定数以上のデータを消去して検索の範囲外とすることができ、適切な選択を行うことができる。また、視聴履歴メモリのデータが所定期間以上経過したときに当該データを消去するようにしたものにおいては、例えば所定数以内のデータであってもその曲や映像がかなり前に視聴したものであるときには検索の範囲外とし、適切な選択を行うことができる。更に両者を組み合わせることにより、より適切な選択が可能となる。
【００６１】
また、前記視聴履歴メモリが、メディアプレーヤに接続される複数のプレーヤの視聴履歴を共通して記録することを特徴とする前記メディアプレーヤとしたものにおいては、視聴履歴メモリが複数のプレーヤで共通に使用され、例えば放送受信機において最近視聴した曲や映像が、続いて作動するＤＶＤプレーヤで同じ曲や映像が選択され再生されることを防止し、あるいは逆にＤＶＤプレーヤで最近視聴した曲や映像が、続いて作動する放送受信機で同じ曲や映像を受信することを防止し、自動的に他の曲や映像に選択を変更することが可能となる。
【図面の簡単な説明】
【図１】本発明のメディアプレーヤとしてオーディオプレーヤに適用し、特にデジタルオーディオ放送受信機及びＭＰ３オーディオプレーヤを接続した実施例のブロック図である。
【図２】同実施例の作動フロー図である。
【図３】デジタルオーディオ放送で送信されるデータの内容を示すデータ構成図である。
【図４】ＭＰ３オーディオデータの情報データとしてのＩＤ３タグデータの内容を示すデータ構成図である。
【図５】同実施例の視聴履歴メモリの記録データを説明するためのメモリリストの例であり、（ａ）は変更前の視聴履歴メモリ、（ｂ）は変更後の視聴履歴メモリの例ある。
【符号の説明】
２  デジタル放送ＲＦ部
３  デジタル放送デコード部
４  情報データ
７  チャンネル選択部
８  制御部
９  デジタルオーディオ放送受信機
１０  ＭＰ３オーディオプレーヤ
１１  ＣＤ
１５  ＲＦアンプ
１６  サーボドライバ
１７  ＭＰ３システムデコーダ
１８  情報データ
２１  制御部
２２  選曲部
２４  システムコントローラ
２５  視聴履歴検索部
２６  視聴履歴記録・消去部
２７  視聴履歴メモリ
２８  ヘッドユニット
【図１】
0004001313.tif 000002
【図２】
0004001313.tif 000003
【図３】
0004001313.tif 000004
【図４】
0004001313.tif 000005
【図５】
0004001313.tif 000006